(57)【特許請求の範囲】
【請求項１】
歯科用治療椅子近傍に固定されるアームの先端に姿勢変更可能に取り付けられる本体部とこの本体部の姿勢を変更する取っ手部とを備え、前記本体部内には複数の照明具を収容し、前記照明具は本体部内の外周部位に配設し、前記本体部の前面に前記照明具が照射する光を透過可能な透明板を設け、前記透明板は前記照明具の照射する光が透過する複数の透過部以外の部分を光反射性の被覆材で覆って鏡面部を形成し、前記鏡面部は前記透明板の外周部位に位置する透過部間を含み、外周部位の透過部で囲まれる前記透明板の中央部位に形成され、前記鏡面部により患者が口腔内を視認可能に前記本体部の姿勢を設定した状態で照射する光が患者の口腔内に照射されるように前記照明具の照射方向を規定して前記本体部内に配設し、前記取っ手部に前記照明具の点灯及び消灯を行うとともに照度及び色温度の調整を行う照明用スイッチを設けたことを特徴とする歯科用照明器具。
【請求項２】
前記照明用スイッチは点灯操作及び消灯操作、照度操作及び色温度操作に応じたスイッチ信号を出力し、前記本体部内には前記照明用スイッチから入力する各種操作に応じたスイッチ信号を検出するスイッチ信号検出回路と、前記スイッチ信号検出回路が検出したスイッチ信号に基づいて前記照明具を点灯及び消灯するとともに照度及び色温度を調整するように電流を制御する照明具電流制御回路とを設けたことを特徴とする請求項１に記載の歯科用照明器具。
【発明の詳細な説明】
【技術分野】
【０００１】
この発明は歯科用照明器具に係り、特に、患者の口腔内を照射する照明具と患者に治療状態を見せるための鏡面部とを一体に設けることで、診療の効率化と患者への治療説明に有用な歯科用照明器具に関するものである。
【背景技術】
【０００２】
歯科の治療においては、患者の口腔内を詳しく観察するために、照明器具が用いられている。
従来の歯科用照明器具には、平板状に配設された白色ＬＥＤを有し、この白色ＬＥＤはシャウカステン照明と、無影灯と、モニターとの各機能に切り換えられるようにしたもの（特開平１０−１６５４２３号公報）がある。
また、従来の歯科用照明器具には、矩形環状の照明器具の表面に複数のＬＥＤモジュールを分散して配置し、複数のＬＥＤモジュールの照射光が照射面で交差するように配設されたもの（特開２０１１−７６７３７号公報）がある。
【先行技術文献】
【特許文献】
【０００３】
【特許文献１】特開平１０−１６５４２３号公報
【特許文献２】特開２０１１−７６７３７号公報
【発明の概要】
【発明が解決しようとする課題】
【０００４】
ところが、従来の歯科用照明器具では、照明具に対して口腔内を映す鏡が別体で設けられているため、照射方向と鏡の方向を個別に調整しなければならず、操作が面倒であるばかりでなく、診療後の清掃にも手間がかかった。
また、患者が口腔内を視認可能に鏡の姿勢を設定した場合に、照明具の光が患者の目に入る向きに照射方向が設定されてしまい、患者にまぶしさを感じさせることがあった。
さらに、照明具の点灯、消灯や照度の調整などは、歯科用照明器具とは別の場所に設置した操作盤に患者を治療中の手を移動させて操作する必要があるため、診療の中断や妨げとなった。
【０００５】
この発明は、患者に治療を直接的に説明でき、清掃に手間がかからず清掃性が良く、また、患者にまぶしさを感じさせることなく、治療経過等を容易に確認させることができ、さらに、照明具の操作を容易に行うことができ、診療の効率化を図ることを目的とする。
【課題を解決するための手段】
【０００６】
この発明は、歯科用治療椅子近傍に固定されるアームの先端に姿勢変更可能に取り付けられる本体部とこの本体部の姿勢を変更する取っ手部とを備え、前記本体部内には複数の照明具を収容し、前記照明具は本体部内の外周部位に配設し、前記本体部の前面に前記照明具が照射する光を透過可能な透明板を設け、前記透明板は前記照明具の照射する光が透過する複数の透過部以外の部分を光反射性の被覆材で覆って鏡面部を形成し、前記鏡面部は前記透明板の外周部位に位置する透過部間を含み、外周部位の透過部で囲まれる前記透明板の中央部位に形成され、前記鏡面部により患者が口腔内を視認可能に前記本体部の姿勢を設定した状態で照射する光が患者の口腔内に照射されるように前記照明具の照射方向を規定して前記本体部内に配設し、前記取っ手部に前記照明具の点灯及び消灯を行うとともに照度及び色温度の調整を行う照明用スイッチを設けたことを特徴とする。
【発明の効果】
【０００７】
この発明は、照明具で照射された口腔内を鏡面部に映して患者に見せながら診療を行うことができるため、患者に治療を直接的に説明できる。本体部には、照明具と鏡面部とが一体部品で設けられているため、清掃に手間がかからず、清掃性が良い。
また、この発明は、鏡面部により患者が口腔を視認可能に本体部の姿勢を設定した状態で、照明具の光が患者の口腔内に照射されるように照明具を本体部内に配設しているため、患者にまぶしさを感じさせることなく、治療経過等を容易に確認させることができる。
さらに、この発明は、本体部の姿勢を変更する取っ手部に設けた照明用スイッチを操作することで、照明具の点灯及び消灯や、照度及び色温度の調整を行うことができるため、歯科用照明器具と別の場所に設けた操作盤に患者を治療中の手を移動させる必要がなく、診療の効率化を図ることができる。
【図面の簡単な説明】
【０００８】
【図１】図１はアームに取り付けた歯科用照明器具の斜視図である。（実施例）
【図２】図２は患者と歯科用照明器具の位置関係を示す説明図である。（実施例）
【図３】図３は照明具と照明用スイッチの電気回路図である。（実施例）
【図４】図４は歯科用照明器具の正面図である。（実施例）
【図５】図５は歯科用照明器具の背面図である。（実施例）
【図６】図６は歯科用照明器具の平面図である。（実施例）
【図７】図７は歯科用照明器具の右側面図である。（実施例）
【図８】図８は照明具の位置を示す歯科用照明器具の正面図である。（実施例）
【図９】図９は図４のＡ−Ａ線による歯科用照明器具の断面図である。（実施例）
【図１０】図１０は歯科用照明器具の斜視図である。（変形例）
【発明を実施するための形態】
【０００９】
以下図面に基づいて、この発明の実施例を説明する。
【実施例】
【００１０】
図１〜図９は、この発明の実施例を示すものである。図１において、１は図示しない歯科用治療椅子の近傍に固定されるアーム、２は歯科用照明器具である。歯科用照明器具２は、前記アーム１の先端に姿勢変更可能に取り付けられる本体部３と、この本体部３の姿勢を変更する左右の取っ手部４・５とを備えている。
前記本体部３は、図４〜図９に示すように、略横長四角板形状の背面部６と背面部６の四辺を囲む上壁部７及び下壁部８と右壁部９及び左壁部１０とにより、前面に開口する略横長四角箱形状に形成されている。背面部６には、アーム１の先端の取付部１１に本体部３を姿勢変更可能に取り付ける枢支部１１を設けている。
本体部３は、右壁部９及び左壁部１０の各下端から取付部１２・１３を左右方向に突出させている。前記取っ手部４・５は、円柱形状に形成され、各下端を取付部１２・１３の先端にそれぞれ取り付けられ、右壁部９及び左壁部１０と平行に上方へ延びるように配置している。
【００１１】
前記本体部３の内部には、図９に示すように、複数の照明具１４を収容している。照明具１４は、点灯及び消灯が可能であるとともに照度（物体に照射された光の明るさ）及び色温度を調整可能なＬＥＤなどからなり、本体部３内において支持部材１５により個別に支持されている。照明具１４は、上壁部７及び下壁部８と右壁部９及び左壁部１０とに沿うように、歯科用照明器具２の正面視で本体部３内の外周部位に配設している。
前記本体部３の前面には、照明具１４が照射する光を透過可能な透明板１６を設けている。透明板１６は、図８、図９に示すように、照明具１４の照射する光が透過する円形の透過部１７以外の部分を、光反射性の被覆材１８で覆って鏡面部１９を形成している。鏡面部１９は、外周部位に位置する透過部１７間を含み、外周部位の透過部１７で囲まれる中央部位に形成されている。
前記照明具１４は、図２に示すように、鏡面部１９により患者２０が口腔２１内を視認可能に本体部３の姿勢を設定した状態で、照射する光が患者２０の口腔２１内に照射されるように、照射方向を規定して本体部３内に配設している。
【００１２】
また、前記左右の取っ手部４・５のうちの少なくとも一方、この実施例では右の取っ手部４には、照明具１４の点灯及び消灯を行うとともに照度及び色温度の調整を行う照明用スイッチ２２を設けている。照明用スイッチ２２は、点灯操作及び消灯操作、照度操作及び色温度操作に応じたスイッチ信号を出力する。スイッチ信号には、点灯信号、消灯信号、照度調整信号、色温度信号がある。
前記点灯信号は、照明用スイッチ２２を第１の設定時間だけ下方向に押し込む操作によって出力される。前記消灯信号は、点灯信号の出力後に、照明用スイッチ２２を前記第１の設定時間だけ下方向に押し込む操作によって出力される。前記照度調整信号は、照明用スイッチ２２を右方向あるいは左方向に倒す操作によって出力される。前記色温度信号は、照明用スイッチ２２を前方向あるいは後方向に倒す操作によって出力される。
なお、照明用スイッチ２２は、前記第１の設定時間よりも長い第２の設定時間だけ下方向に押し込む操作によって設定モード入場信号を出力し、この設定モード入場信号の出力後に前記第２の設定時間だけ下方向に押し込む操作により設定モード出場信号を出力する。照明用スイッチ２２は、前記設定モード入場信号の出力後であって前記設定モード出場信号が出力前の間に、右方向あるいは左方向に倒す操作による照度調整信号の出力や、前方向あるいは後方向に倒す操作による色温度信号の出力が有効となる。
【００１３】
前記照明用スイッチ２２の出力するスイッチ信号は、本体部３の内部に設けスイッチ信号検出回路２３に入力される。
スイッチ信号検出回路２３は、照明用スイッチ２２から入力する各種操作に応じたスイッチ信号を検出すると、検出したスイッチ信号の情報を本体部３の内部に設けた照明具電流制御回路２４に出力する。
照明具電流制御回路２４は、スイッチ信号検出回路２３から入力するスイッチ信号の情報に基づいて、照明具１４を点灯及び消灯するとともに照度及び色温度を調整するように、電源（図示せず）から照明具１４に供給する電流を制御する。
【００１４】
次に、歯科用照明器具２の作用を説明する。
アーム１に取り付けられた歯科用照明器具２は、治療に際して、図２に示すように、取っ手部４・５の少なくとも一方を握って本体部３を患者２０の視線の前方に移動させ、鏡面部１９により患者２０が口腔２１内を視認可能に本体部３の姿勢を設定する。この状態では、照明具１４の光の照射方向は患者２０の口腔２１内に向かっている。
歯科用照明器具２は、照明用スイッチ２２から点灯信号を出力する点灯操作を行うと、スイッチ信号検出回路２３、照明具電流制御回路２４により本体部３内に配設した照明具１４に電流が流れ、点灯される。照明具１４の照射する光は、本体部３の前面の透明板１６に設けた透過部１７を透過し、患者２０の口腔２１内に照射される。
【００１５】
医師は、本体部３内の照明具１４が照射する光によって患者２０の口腔２１内を詳しく観察し、適切な治療を行うことができる。一方、患者２０は、本体部３の透明板１６に設けた鏡面部１９に映った口腔２１内の治療を見ることができる。このとき、照明具１４の光は患者２０の口腔２１内に照射されるため、患者２０の目に入ることはない。
また、歯科用照明器具２は、治療中に、本体部３の横に設けた照明用スイッチ２２により設定モードに入場し、照度調整信号を出力する照度操作、あるいは色温度信号を出力する色温度操作を行うと、スイッチ信号検出回路２３、照明具電流制御回路２４により本体部３内に配設した照明具１４に電流が流れ、照明具１４の照射する光の照度、あるいは色温度を調整することができる。
【００１６】
このように、歯科用照明器具２は、照明具１４で照射された口腔２１内を鏡面部１９に映して患者２０に見せながら診療を行うことができるため、患者２０に治療を直接的に説明できる。本体部３には、照明具１４と鏡面部１９とが一体部品で設けられているため、清掃に手間がかからず、清掃性が良い。
また、この歯科用照明器具２は、鏡面部１９により患者２０が口腔２１を視認可能に本体部３の姿勢を設定した状態で、照明具１４の光が患者２０の口腔２１内に照射されるように照明具１４を本体部３内に配設しているため、患者２０にまぶしさを感じさせることなく、治療経過等を容易に確認させることができる。
さらに、この歯科用照明器具２は、本体部３の姿勢を変更する取っ手部４に設けた照明用スイッチ２２を操作することで、照明具１４の点灯及び消灯や、照度及び色温度の調整を行うことができるため、従来のように歯科用照明器具２と別の場所に設けた操作盤に患者を治療中の手を移動させる必要がなく、診療の効率化を図ることができる。
【００１７】
なお、この発明は、上述実施例に限定されることなく、種々応用改変が可能である。
例えば、上述実施例において、本体部３の透明板１６は、照明具１４の照射する光が透過する円形の透過部１７以外の部分を被覆材１８で覆って鏡面部１９を形成しているが、透明板１６を調光ガラスに代えることで、鏡面部１９を曇らせたり照度、色温度を調整することができ、透明板１６をハーフミラーに代えることで、時計や絵、文字などを映し出せるようにすることもできる。
また、上述実施例においては、本体部３の姿勢を変更する右の取っ手部４に照明用スイッチ２２を設けたが、照明用スイッチ２２を左の取っ手部５にも設けることができ、また、図１０に示すように、照明用スイッチ２２と同じ機能を有する別の照明用スイッチ２５を本体部３の上壁部７に設けることで、本体部３を操作しながら上壁部７の照明用スイッチ２５を操作することができ、診療の効率化を図ることができる。なお、図１０においては、取っ手部４・５に消毒可能な取っ手カバー２６・２７を着脱可能に設けている。この取っ手カバー２６・２７によって診療時の衛生を向上することができる。
さらに、本体部３に人体感知センサを設けて人体感知有無の信号をスイッチ信号検出回路２３に入力し、治療を行う医師やアシスタントが患者から離れた場合に、照明具電流制御回路２４によって照明具１４を消灯することもできる。
【産業上の利用可能性】
【００１８】
この発明は、患者に治療を直接的に説明でき、清掃性が良く、また、患者にまぶしさを感じさせることなく、治療経過等を容易に確認させることができ、さらに、照明具の操作を容易に行うことができ、診療の効率化を図ることができるものであり、歯科用にかぎらず、多様な治療の場において照明器具として利用することができる。
【符号の説明】
【００１９】
１  アーム
２  歯科用照明器具
３  本体部
４・５  取っ手部
１４  照明具
１６  透明板
１７  透過部
１８  被覆材
１９  鏡面部
２０  患者
２１  口腔
２２  照明用スイッチ
２３  スイッチ信号検出回路
２４  照明具電流制御回路
【図１】
0005843360.tif 000002
【図２】
0005843360.tif 000003
【図３】
0005843360.tif 000004
【図４】
0005843360.tif 000005
【図５】
0005843360.tif 000006
【図６】
0005843360.tif 000007
【図７】
0005843360.tif 000008
【図８】
0005843360.tif 000009
【図９】
0005843360.tif 000010
【図１０】
0005843360.tif 000011